【手続補正書】
【提出日】平成21年6月9日(2009.6.9)
【手続補正１】
【補正対象書類名】明細書
【補正対象項目名】特許請求の範囲
【補正方法】変更
【補正の内容】
【特許請求の範囲】
【請求項１】ニトリロトリス（アルキレン）ホスホン酸塩（下記式３）及び／又は１−ヒドロキシアルキレリデン−１，１’−ジホスホン酸塩（下記式４）の少なくとも１種以上である窒素原子を含む環状構造単位を持つノンハロゲン系難燃剤（Ｘ）と有機樹脂（Ｙ）を含有することを特徴とする難燃性樹脂組成物。
【化２】
2002155210.tif 000001
【化３】
2002155210.tif 000002
（Ｍはメラミン、メラム、メレムのいずれか少なくとも一つを表す）
【請求項２】前記有機樹脂（Ｙ）がポリエステル樹脂及び／又は変性ポリエステル樹脂である請求項１に記載の難燃性樹脂組成物。
【請求項３】前記有機樹脂（Ｙ）がイオン性基を導入された樹脂であることを特徴とする請求項１または２に記載の難燃性樹脂組成物。
【請求項４】さらに硬化剤を含有する請求項１〜３いずれかに記載の難燃性樹脂組成物。
【請求項５】 基材に請求項１〜４のいずれかに記載の難燃性樹脂組成物を積層したことを特徴とする難燃性積層体。
【手続補正２】
【補正対象書類名】明細書
【補正対象項目名】００８４
【補正方法】変更
【補正の内容】
【００８４】
参考例１
ポリエステル樹脂（Ａ）をメチルエチルケトン／トルエン＝５０／５０重量比に溶解した樹脂溶液６５固形部とリン酸メラミン（太平化学（株））３５固形部をガラスビーズ型高速振とう機で５時間分散し分散溶液が得られた。得られた分散溶液は良好な分散性を示した。試験結果を表５に示した。分散樹脂溶液を乾燥膜厚が５０μｍになるように、１００μｍ厚のポリエチレンテレフタレートフィルム（東洋紡（株）製Ｅ−５０００）上にバーコーターで塗布乾燥して、難燃接着剤層を有する難燃性積層体を作製した。
【手続補正３】
【補正対象書類名】明細書
【補正対象項目名】００８７
【補正方法】変更
【補正の内容】
【００８７】
以下、表５〜表７に示す組成により同様にして、参考例２〜１１、比較例１〜３の難燃性接着性フィルムを作成した。得られた難燃性接着性フィルムの試験結果を表５〜表７に示す。ただし、配合比は固形分換算で表示した。
【手続補正４】
【補正対象書類名】明細書
【補正対象項目名】００８８
【補正方法】変更
【補正の内容】
【００８８】
【表５】
2002155210.tif 000003
【手続補正５】
【補正対象書類名】明細書
【補正対象項目名】００８９
【補正方法】変更
【補正の内容】
【００８９】
【表６】
2002155210.tif 000004
【手続補正６】
【補正対象書類名】明細書
【補正対象項目名】００９９
【補正方法】変更
【補正の内容】
【００９９】
参考例１３〜２２、比較例４〜６
参考例１と同様にして、参考例１３〜２２、比較例４〜６を行った。結果は表１２〜１４に示す。
【手続補正７】
【補正対象書類名】明細書
【補正対象項目名】０１００
【補正方法】変更
【補正の内容】
【０１００】
【表１２】
2002155210.tif 000005
【手続補正８】
【補正対象書類名】明細書
【補正対象項目名】０１０１
【補正方法】変更
【補正の内容】
【０１０１】
【表１３】
2002155210.tif 000006
【手続補正９】
【補正対象書類名】明細書
【補正対象項目名】０１０４
【補正方法】変更
【補正の内容】
【０１０４】
実施例１
ポリエステル樹脂（Ａ）をメチルエチルケトン／トルエン＝５０／５０重量比に溶解した樹脂溶液７０固形部とＪＰＣＮ−３００Ｍ（ニトリロトリス（メチレン）ホスホン酸メラミン塩：城北化学（株）製）３０固形部をガラスビーズ型高速振とう機で５時間分散し分散溶液が得られた。得られた分散溶液は良好な分散性を示した。試験結果を表１５に示した。分散樹脂溶液を乾燥膜厚が５０μｍになるように、１００μｍ厚のポリエチレンテレフタレートフィルム（東洋紡（株）製Ｅ−５０００）上にバーコーターで塗布乾燥して、難燃接着剤層を有する難燃性積層体を作製した。
【手続補正１０】
【補正対象書類名】明細書
【補正対象項目名】０１０６
【補正方法】変更
【補正の内容】
【０１０６】
以下、表１５〜１７に示す組成により同様にして、実施例２〜１０、比較例７〜９の難燃性接着性フィルムを作成した。得られた難燃性接着性フィルムの試験結果を表１５〜１７に示す。ただし、配合比は固形分換算で表示した。
【手続補正１１】
【補正対象書類名】明細書
【補正対象項目名】０１０７
【補正方法】変更
【補正の内容】
【０１０７】
【表１５】
2002155210.tif 000007
５）コローネートＨＸ：ヘキサメチレンジイソシアネート（日本ポリウレタン（株）製）
【手続補正１２】
【補正対象書類名】明細書
【補正対象項目名】０１０８
【補正方法】変更
【補正の内容】
【０１０８】
【表１６】
2002155210.tif 000008
５）コローネートＨＸ：ヘキサメチレンジイソシアネート（日本ポリウレタン（株）製）
【手続補正１３】
【補正対象書類名】明細書
【補正対象項目名】０１０９
【補正方法】変更
【補正の内容】
【０１０９】
【表１７】
2002155210.tif 000009
１）タイエンＳ：ポリリン酸アンモニウム（太平化学（株）製）
【手続補正１４】
【補正対象書類名】明細書
【補正対象項目名】０１１０
【補正方法】変更
【補正の内容】
【０１１０】
参考例２３
ポリエステル樹脂（Ａ）をメチルエチルケトン／トルエン＝５０／５０重量比に溶解した樹脂溶液７０固形部とポリリン酸メラミン（太平化学（株）製）３０固形部をガラスビーズ型高速振とう機で５時間分散し難燃性分散溶液が得られた。得られた難燃性分散溶液は良好な分散性を示した。試験結果を表１８に示した。
【手続補正１５】
【補正対象書類名】明細書
【補正対象項目名】０１１４
【補正方法】変更
【補正の内容】
【０１１４】
以下、表１８〜２３に示す組成により同様にして、参考例２４〜４４、比較例１０〜１５の難燃性接着性フィルムを作成した。得られた難燃性接着性フィルムの試験結果を表１８〜２３に示す。ただし、配合比は固形分換算で表示した。
【手続補正１６】
【補正対象書類名】明細書
【補正対象項目名】０１１５
【補正方法】変更
【補正の内容】
【０１１５】
【表１８】
2002155210.tif 000010
【手続補正１７】
【補正対象書類名】明細書
【補正対象項目名】０１１６
【補正方法】変更
【補正の内容】
【０１１６】
【表１９】
2002155210.tif 000011
【手続補正１８】
【補正対象書類名】明細書
【補正対象項目名】０１１８
【補正方法】変更
【補正の内容】
【０１１８】
【表２１】
2002155210.tif 000012
【手続補正１９】
【補正対象書類名】明細書
【補正対象項目名】０１１９
【補正方法】変更
【補正の内容】
【０１１９】
【表２２】
2002155210.tif 000013
【手続補正２０】
【補正対象書類名】明細書
【補正対象項目名】０１２２
【補正方法】変更
【補正の内容】
【０１２２】
【発明の効果】本発明は、特定の構造を含むノンハロゲン系難燃剤（Ｘ）を有機樹脂（Ｙ）に分散させた組成物であり、この難燃剤分散体を塗布又は積層することにより難燃性、発煙抑制効果に優れ、基材成形体又は基材フィルムとの密着性が良好な難燃性樹脂組成物を提供できる。また、耐水性にも優れ、長期の使用によっても剥離等が生じにくい。また、有機樹脂にイオン性基を導入することにより、卓越した分散性を与えることができ、難燃性、密着性、耐水性等の諸特性をさらに大きく向上させることができる。本発明の難燃性樹脂組成物を塗布又は積層することにより、安価で優れた難燃性積層体を提供するもので家電製品等の分野における高い要求品質に答えることができる。